(57)【要約】【課題】画像に輝度ムラが発生するのを抑制することが可能な表示装置を提供する。【解決手段】この表示装置１００は、青色光が照射される光源部１と、光源部１から照射される青色光を導く導光部材２とを含む照明部１０と、照明部１０から照射される青色光に基づいて表示を行う反射型液晶表示部２０とを備え、反射型液晶表示部２０は、青色光が照射されることにより赤色に発光する赤色蛍光体層２３ａと、青色光が照射されることにより緑色に発光する緑色蛍光体層２３ｂとを含み、照明部１０の光源部１から照射される青色光と、反射型液晶表示部２０の赤色蛍光体層２３ａおよび緑色蛍光体層２３ｂから出射される赤色光および緑色光とにより画像を表示するように構成されている。【選択図】図１
2010249900.tif 000002
【特許請求の範囲】
【請求項１】
青色光が照射される光源と、前記光源から照射される青色光を導く導光部材とを含む照明部と、
前記照明部から照射される青色光に基づいて表示を行う表示パネル部とを備え、
前記表示パネル部は、前記青色光が照射されることにより赤色に発光する赤色蛍光体層と、前記青色光が照射されることにより緑色に発光する緑色蛍光体層とを含み、
前記照明部の光源から照射される前記青色光と、前記表示パネル部の前記赤色蛍光体層および前記緑色蛍光体層から出射される赤色光および緑色光とにより画像を表示するように構成されている、表示装置。
【請求項２】
前記表示パネル部は、互いに対向するように配置された一方基板および他方基板をさらに含み、
前記一方基板に設けられた反射層をさらに備え、
前記光源から照射される前記青色光は、前記反射層により前記一方基板側から前記他方基板側に向かって反射されるように構成されている、請求項１に記載の表示装置。
【請求項３】
前記一方基板の前記赤色蛍光体層および前記緑色蛍光体層の前記他方基板側に設けられ、前記赤色蛍光体層および前記緑色蛍光体層から照射された前記赤色光および前記緑色光と、前記光源から照射される青色光とを偏光するための内蔵偏光板と、
前記一方基板と前記他方基板との間に配置された液晶層とをさらに備える、請求項２に記載の表示装置。
【請求項４】
前記液晶層は、オフ電圧を印加した状態で光を透過しないノーマリーブラックの表示方式により構成されている、請求項３に記載の表示装置。
【請求項５】
前記一方基板側および前記他方基板側の少なくとも一方側に設けられ、前記反射層で反射された青色光を拡散させるための拡散層をさらに備える、請求項２〜４のいずれか１項に記載の表示装置。
【請求項６】
前記他方基板の前記液晶層側に設けられた複数の画素トランジスタと、
前記各々の画素トランジスタにそれぞれ電気的に接続される画素電極とをさらに備え、
各々の前記画素電極に対応する位置に、それぞれ、前記赤色蛍光体層、前記緑色蛍光体層、前記反射層および前記拡散層が配置されている、請求項５に記載の表示装置。
【請求項７】
前記光源近傍に配置される前記赤色蛍光体層、前記緑色蛍光体層、前記反射層および前記拡散層の平面積に比べて、前記光源からの距離が大きくなる位置に配置される前記赤色蛍光体層、前記緑色蛍光体層、前記反射層および前記拡散層の平面積の方が大きくなるように構成されている、請求項６に記載の表示装置。
【請求項８】
請求項１〜７のいずれか１項に記載の表示装置を備えた、電子機器。
【発明の詳細な説明】
【技術分野】
【０００１】
本発明は、表示装置および表示装置を備えた電子機器に関し、特に、光源から照射される光を導く導光部材を備えた表示装置および電子機器に関する。
【背景技術】
【０００２】
従来、光源から照射される光を導く導光部材を備えた照明装置が開示されている（たとえば、特許文献１参照）。上記特許文献１の照明装置には、光源として白色光を出射する発光ダイオードと、発光ダイオードからの白色光を照射面側に導く導光板とが備えられている。この照明装置では、導光板の一方の表面は平坦面状に形成されているとともに、他方の表面には発光ダイオードから出射された白色光を一方の表面側に反射させるための傾斜部が複数形成されている。そして、導光板内を伝播する発光ダイオードから出射された白色光を、導光板の他方の表面側の傾斜部によって反射させて一方の表面側（照射面側）に出射させるように構成されている。
【先行技術文献】
【特許文献】
【０００３】
【特許文献１】特開２０００−１９３９７２号公報
【発明の概要】
【発明が解決しようとする課題】
【０００４】
しかしながら、上記特許文献１に開示された照明装置を表示装置に適用して、発光ダイオードから出射された白色光を表示装置の光源として用いる場合、発光ダイオードから出射された光が指向性を有するので表示装置により表示される画像に部分的に輝度ムラが発生する場合があるという問題点がある。
【０００５】
この発明は、上記のような課題を解決するためになされたものであり、この発明の１つの目的は、画像に輝度ムラが発生するのを抑制することが可能な表示装置および電子機器を提供することである。
【課題を解決するための手段および発明の効果】
【０００６】
この発明の第１の局面による表示装置は、青色光が照射される光源と、光源から照射される青色光を導く導光部材とを含む照明部と、照明部から照射される青色光に基づいて表示を行う表示パネル部とを備え、表示パネル部は、青色光が照射されることにより赤色に発光する赤色蛍光体層と、青色光が照射されることにより緑色に発光する緑色蛍光体層とを含み、照明部の光源から照射される青色光と、表示パネル部の赤色蛍光体層および緑色蛍光体層から出射される赤色光および緑色光とにより画像を表示するように構成されている。
【０００７】
上記第１の局面による表示装置では、上記のように、表示パネル部に光源から照射される光により発光する赤色蛍光体層および緑色蛍光体層を備えるとともに、赤色蛍光体層および緑色蛍光体層から発光した赤色光および緑色光と、光源からの青色光とにより画像を表示するように構成することによって、表示画像に輝度ムラが発生するのを抑制することができる。すなわち、従来においては、発光ダイオードによる白色光を表示パネル部のカラーフィルタに入射させることにより生成される赤色光、緑色光および青色光により画像が表示される。この場合では、発光ダイオードの光は指向性を有しているため、この光に基づいて画像を表示する際には画像に輝度ムラが発生する。これに対して、本発明では、たとえば、赤色光および緑色光に関しては、照明部からの青色光を赤色蛍光体層および緑色蛍光体層が面発光することにより面状に照射される構成とすることにより、その分、従来に比べて表示画像に輝度ムラが発生するのを抑制することができる。また、光源から青色光が照射されるように構成することによって、画像を表示する際に、光源からの青色光を蛍光体層により変換させることなく直接光源からの青色光を画像表示のための青色として用いることができるので、その分、色の変換時に青色の光強度が低下するのを抑制することができる。
【０００８】
上記第１の局面による表示装置において、好ましくは、表示パネル部は、互いに対向するように配置された一方基板および他方基板をさらに含み、一方基板に設けられた反射層をさらに備え、光源から照射される青色光は、反射層により一方基板側から他方基板側に向かって反射されるように構成されている。このように構成すれば、光源から照射される青色光を反射させることができるので、容易に他方基板側に画像を表示させることができる。
【０００９】
この場合、好ましくは、一方基板の赤色蛍光体層および緑色蛍光体層の他方基板側に設けられ、赤色蛍光体層および緑色蛍光体層から照射された赤色光および緑色光と、光源から照射される青色光とを偏光するための内蔵偏光板と、一方基板と他方基板との間に配置された液晶層とをさらに備える。このように構成すれば、赤色蛍光体層および緑色蛍光体層から偏光されていない状態で出射された赤色光および緑色光を、内蔵偏光板によって偏光した状態で液晶層に入射させることができる。
【００１０】
上記内蔵偏光板および液晶層を備えた構成において、好ましくは、液晶層は、オフ電圧を印加した状態で光を透過しないノーマリーブラックの表示方式により構成されている。このように構成すれば、オフ電圧の印加時において、外部光などが表示パネル部の反射層により反射されて所望しない画像が表示されるのを抑制することができる。
【００１１】
上記一方基板および他方基板を備えた構成において、好ましくは、一方基板側および他方基板側の少なくとも一方側に設けられ、反射層で反射された青色光を拡散させるための拡散層をさらに備える。このように構成すれば、拡散層により青色光が拡散されるので、面発光により面状に照射される赤色光および緑色光とともに、青色光においても輝度ムラのない状態で他方基板側に照射させることができる。
【００１２】
この場合、好ましくは、他方基板の液晶層側に設けられた複数の画素トランジスタと、各々の画素トランジスタに対応するように他方基板側に複数設けられ、各々の画素トランジスタにそれぞれ電気的に接続される画素電極とをさらに備え、各々の画素電極に対応する位置に、それぞれ、赤色蛍光体層、緑色蛍光体層、反射層および拡散層が配置されている。このように構成すれば、赤色蛍光体層、緑色蛍光体層、反射層および拡散層から照射される赤色光、緑色光および青色光の光量を各々の画素電極毎に容易に制御することができる。
【００１３】
上記拡散層を備えた構成において、好ましくは、光源近傍に配置される赤色蛍光体層、緑色蛍光体層、反射層および拡散層の平面積に比べて、光源からの距離が大きくなる位置に配置される赤色蛍光体層、緑色蛍光体層、反射層および拡散層の平面積の方が大きくなるように構成されている。このように構成すれば、光源からの距離が大きい位置に配置された各蛍光体層および拡散層は、光源近傍に配置された各蛍光体層および拡散層に比べて光の届く量が小さくなる一方で、光源近傍に配置された各蛍光体層および拡散層に比べて平面積が大きい分、各蛍光体層および拡散層への光の入射範囲を大きくすることができる。すなわち、光源からの距離に応じて各蛍光体層および拡散層の平面積を変えることにより、光源からの距離によることなく、各蛍光体層および拡散層を略同じ輝度により発光させることができる。したがって、表示装置から照射される画像の輝度ムラをより抑制することができる。
【００１４】
この発明の第２の局面による電子機器は、上記した構成を有する表示装置を備える。このように構成すれば、輝度ムラが発生するのを抑制することが可能な表示装置を備える電子機器を得ることができる。
【図面の簡単な説明】
【００１５】
【図１】本発明の一実施形態による表示装置の断面図である。
【図２】本発明の一実施形態による表示装置の拡大断面図である。
【図３】本発明の一実施形態による表示装置の平面図である。
【図４】本発明の一実施形態による表示装置を備えた第１の例による電子機器について説明するための斜視図である。
【図５】本発明の一実施形態による表示装置を備えた第２の例による電子機器について説明するための斜視図である。
【図６】本発明の一実施形態による表示装置を備えた第３の例による電子機器について説明するための斜視図である。
【発明を実施するための形態】
【００１６】
以下、本発明の実施形態を図面に基づいて説明する。
【００１７】
図１〜図３を参照して、本発明の一実施形態による表示装置１００の構成について説明する。
【００１８】
本発明の一実施形態による表示装置１００は、図１に示すように、フロントライト型の照明部１０と、反射型液晶表示部２０とを備えている。なお、反射型液晶表示部２０は、本発明の「表示パネル部」の一例である。
【００１９】
照明部１０は、図１および図２に示すように、青色ＬＥＤ（青色発光ダイオード）からなる光源部１と、光源部１から照射される光を導く導光部材２とを備えている。本実施形態では、光源部１から照射される光は、青色ＬＥＤから出射される単一ピーク波長による青色光により構成されている。そして、光源部１から照射された青色光は、導光部材２を伝播しながら反射型液晶表示部２０側（矢印Ｚ１方向側）に向かって出射するように構成されている。また、平面的に見て、導光部材２は平坦面状に形成されており、光源部１は導光部材２の一方の端部に沿って延びる（図３参照）とともに、導光部材２に隣接するように配置されている。なお、光源部１は、本発明の「光源」の一例である。
【００２０】
反射型液晶表示部２０は、一対のガラス基板２１ａおよび２１ｂを備えている。ガラス基板２１ａの矢印Ｚ２方向側の表面上には、反射層２２が設けられている。反射層２２は、アルミニウムなどの反射材料から構成されており、照明部１０から入射した光を観察者側（矢印Ｚ２方向側）に反射させる機能を有する。なお、ガラス基板２１ａおよび２１ｂは、それぞれ、本発明の「一方基板」および「他方基板」の一例である。
【００２１】
ここで、本実施形態では、反射層２２の表面上には、赤色に対応する赤色蛍光体層２３ａと、緑色に対応する緑色蛍光体層２３ｂとが設けられている。赤色蛍光体層２３ａおよび緑色蛍光体層２３ｂは、それぞれ、照明部１０から青色光が照射されることにより赤色および緑色に面発光する機能を有する。また、反射層２２の表面上には、赤色蛍光体層２３ａおよび緑色蛍光体層２３ｂに加えて、青色光を拡散させるための凹凸形状を有する拡散層２４が形成されている。本実施形態による表示装置１００は、赤色蛍光体層２３ａおよび緑色蛍光体層２３ｂから面発光される赤色光および緑色光と、照明部１０から照射されるとともに拡散層２４により拡散される青色光とを反射層２２により矢印Ｚ２方向側（観察者側）に反射させるとともに、これらの３色に基づいて画像を表示する反射型液晶表示装置として構成されている。
【００２２】
また、本実施形態では、赤色蛍光体層２３ａ、緑色蛍光体層２３ｂおよび拡散層２４の表面上には、内蔵偏光板２５が形成されている。内蔵偏光板２５は、赤色蛍光体層２３ａおよび緑色蛍光体層２３ｂから面発光により出射される赤色光および緑色光と、拡散層２４により拡散された青色光とを偏光する機能を有する。そして、内蔵偏光板２５の表面上にはＩＴＯなどの透明電極からなる対向電極２６が形成されている。
【００２３】
また、ガラス基板２１ｂの矢印Ｚ１方向側の表面上には、複数のスイッチング用の薄膜トランジスタ（ＴＦＴ）２７が形成されている。薄膜トランジスタ２７の表面上には層間絶縁膜２８が形成されているとともに、層間絶縁膜２８の表面上には、各々の薄膜トランジスタ２７に対応するようにＩＴＯなどの透明電極からなる画素電極２９が形成されている。そして、薄膜トランジスタ２７と画素電極２９とは、層間絶縁膜２８に形成されたコンタクトホール２８ａを介して電気的に接続されている。なお、薄膜トランジスタ２７は、本発明の「画素トランジスタ」の一例である。
【００２４】
また、ガラス基板２１ｂの矢印Ｚ２方向側の表面上には、外部偏光板３０が設けられている。そして、ガラス基板２１ａおよび２１ｂは、シール部材３１により接着されているとともに、ガラス基板２１ａおよび２１ｂ間には、液晶層４０が設けられている。
【００２５】
また、各々の赤色蛍光体層２３ａ、緑色蛍光体層２３ｂおよび拡散層２４と、各々の画素電極２９とは、それぞれ、互いに１つずつ対応するように対向配置されている。そして、赤色蛍光体層２３ａと画素電極２９とを含む赤色に対応する副画素５０ａ、緑色蛍光体層２３ｂと画素電極２９とを含む緑色に対応する副画素５０ａ、および、拡散層２４と画素電極２９とを含む青色に対応する副画素５０ａにより１つの画素５０が構成されている。
【００２６】
以上の構成により、本実施形態では、照明部１０から各副画素５０ａに青色光が照射された際に、赤色および緑色に対応する副画素５０ａにおいては、赤色蛍光体層２３ａおよび緑色蛍光体層２３ｂから赤色光および緑色光が出射するとともに、反射層２２により矢印Ｚ２方向に反射される。また、青色に対応する副画素５０ａにおいては、照明部１０からの青色光は拡散層２４により拡散されながら反射層２２により矢印Ｚ２方向に反射される。そして、赤色、緑色および青色のそれぞれの光は内蔵偏光板２５、液晶層４０および外部偏光板３０を介して偏光および光量調整されるとともに、観察者側（矢印Ｚ２方向側）において画像を表示するように構成されている。また、本実施形態における表示装置１００は、共通電極２６および画素電極２９間にオフ電圧が印加された際に黒表示が行われるノーマリーブラックによる表示方式により構成されている。なお、縦電界型の駆動方式により構成された反射型液晶表示部２０では、ＥＣＢモード、ＶＡモードおよびＴＮモードなどの駆動方式が適用可能である。
【００２７】
また、本実施形態では、図３に示すように、平面的に見て、光源部１の近傍に配置される画素５０の赤色蛍光体層２３ａの平面積Ｓ１ａに比べて、光源部１からの距離が大きくなる位置に配置される画素５０の赤色蛍光体層２３ａの平面積Ｓ２ａの方が大きくなるように構成されている。同様に、光源部１の近傍に配置される画素５０の緑色蛍光体層２３ｂおよび拡散層２４の各平面積Ｓ１ｂおよびＳ１ｃよりも、光源部１からの距離が大きくなる位置に配置される画素５０の緑色蛍光体層２３ｂおよび拡散層２４の各平面積Ｓ２ｂおよびＳ２ｃの方が、それぞれ、大きくなるように構成されている。また、各々の画素５０毎において、赤色蛍光体２３ａの平面積Ｓ１ａ、緑色蛍光体層２３ｂの平面積Ｓ１ｂおよび拡散層２４の平面積Ｓ１ｃの大きさを調整することにより、赤色光、緑色光および青色光の光量を調整可能なように構成されている。なお、図１および図２には、反射層２２がガラス基板２１ａの表面上を覆うように１枚の膜から形成されている例を示しているが、反射層２２の一部に穴を開けることにより、反射層２２に関しても、光源部１の近傍に配置される１つの副画素５０ａ当たりの反射層２２の平面積に比べて、光源部１からの距離が大きくなる位置に配置される１つの副画素５０ａ当たりの反射層２２の平面積の方が大きくなるように構成することが可能である。
【００２８】
本実施形態では、上記のように、反射型液晶表示部２０に光源部１から照射される光により面発光する赤色蛍光体層２３ａおよび緑色蛍光体層２３ｂを備えるとともに、赤色蛍光体層２３ａおよび緑色蛍光体層２３ｂから面発光した赤色光および緑色光と、光源部１からの青色光とにより画像を表示するように構成することによって、表示画像に輝度ムラが発生するのを抑制することができる。すなわち、従来においては、発光ダイオードによる白色光を表示パネル部のカラーフィルタに入射させることにより生成される赤色光、緑色光および青色光により画像が表示される。この場合では、発光ダイオードの光は指向性を有しているため、この光に基づいて画像を表示する際には画像に輝度ムラが発生する。これに対して、本実施形態では、赤色光および緑色光に関しては、照明部１０からの青色光を赤色蛍光体層２３ａおよび緑色蛍光体層２３ｂが面発光することにより面状に照射される構成であるので、その分、従来に比べて表示画像に輝度ムラが発生するのを抑制することができる。また、光源部１からは青色光が照射されるように構成することによって、画像を表示する際に、光源部１からの青色光を蛍光体層により変換させることなく直接光源部１からの青色光を画像表示のための青色として用いることができるので、その分、色の変換時に青色の光強度が低下するのを抑制することができる。
【００２９】
また、上記実施形態では、ガラス基板２１ａの表面上に反射層２２を備えることによって、光源部１から照射される青色光と、赤色蛍光体層２３ａおよび緑色蛍光体層２３ｂから照射される赤色光および緑色光とを反射層２２により反射させることができるので、容易にガラス基板２１ｂ側に画像を表示させることができる。
【００３０】
また、上記実施形態では、赤色蛍光体層２３ａ、緑色蛍光体層２３ｂおよび拡散層２４の表面上に内蔵偏光板２５を設けるとともに、ガラス基板２１ａおよび２１ｂ間に液晶層４０を設けることによって、赤色蛍光体層２３ａおよび緑色蛍光体層２３ｂから偏光されていない状態で出射された赤色光および緑色光を、内蔵偏光板２５によって偏光した状態で液晶層４０に入射させることができる。
【００３１】
また、上記実施形態では、ガラス基板２１ｂの矢印Ｚ２方向側の表面に外部偏光板３０を設けることによって、反射層２２に反射された赤色光、緑色光および青色光は、内蔵偏光板２５、液晶層４０および外部偏光板３０を介して照射される光を容易に偏光することができる。
【００３２】
また、上記実施形態では、表示装置１００を、オフ電圧を印加した状態で光を透過しないノーマリーブラックの表示方式により構成することによって、オフ電圧の印加時において、外部光などが表示パネル部の反射層２２および拡散層２４により反射および拡散されて所望しない画像が表示されるのを抑制することができる。
【００３３】
また、上記実施形態では、ガラス基板２１ａの表面上に光源部１から照射される青色光を拡散させるための拡散層２４を備えることによって、拡散層２４により青色光が拡散されるので、面発光により面状に照射される赤色光および緑色光とともに、青色光においても輝度ムラのない状態でガラス基板２１ｂ側に照射させることができる。
【００３４】
また、上記実施形態では、各々の画素電極２９に対応する位置に、それぞれ、赤色蛍光体層２３ａ、緑色蛍光体層２３ｂおよび拡散層２４を配置することによって、赤色蛍光体層２３ａ、緑色蛍光体層２３ｂおよび拡散層２４から照射される赤色光、緑色光および青色光の光量を各々の画素電極２９毎に容易に制御することができる。
【００３５】
また、上記実施形態では、各々の画素５０において、赤色蛍光体層２３ａの平面積（Ｓ１ａ、Ｓ２ａ）、緑色蛍光体層２３ｂの平面積（Ｓ１ｂ、Ｓ２ｂ）、および、拡散層２４の平面積（Ｓ１ｃ、Ｓ２ｃ）を調整することにより照射される赤色光、緑色光および青色光の光量を調整するように構成することによって、各々の画素５０毎に、赤色光、緑色光および青色光からなる３色の光のバランスを調整することができる。
【００３６】
また、上記実施形態では、平面的に見て、光源部１近傍に配置される赤色蛍光体層２３ａの平面積Ｓ１ａ、緑色蛍光体層２３ｂの平面積Ｓ１ｂおよび拡散層２４の平面積Ｓ１ｃに比べて、光源部１からの距離が大きくなる位置に配置される赤色蛍光体層２３ａの平面積Ｓ２ａ、緑色蛍光体層２３ｂの平面積Ｓ２ｂおよび拡散層２４の平面積Ｓ２ｃの方が大きくなるように構成することによって、光源部１からの距離が大きい位置に配置された各蛍光体層（２３ａ、２３ｂ）および拡散層２４は、光源部１近傍に配置された各蛍光体層（２３ａ、２３ｂ）および拡散層２４に比べて光の届く量が小さくなる一方で、光源部１近傍に配置された各蛍光体層（２３ａ、２３ｂ）および拡散層２４に比べて平面積が大きい分、各蛍光体層（２３ａ、２３ｂ）および拡散層２４への光の入射範囲を大きくすることができる。すなわち、光源部１からの距離に応じて各蛍光体層（２３ａ、２３ｂ）および拡散層２４の平面積を変えることにより、光源部１からの距離によることなく、各蛍光体層（２３ａ、２３ｂ）および拡散層２４を略同じ輝度により発光させることができる。したがって、表示装置１００から照射される画像の輝度ムラをより抑制することができる。
【００３７】
次に、図４〜図６を参照して、本発明の一実施形態による表示装置１００を用いた第１〜第３の例による電子機器について説明する。
【００３８】
本発明の一実施形態による表示装置１００は、図４〜図６に示すように、第１の例によるＰＣ（Ｐｅｒｓｏｎａｌ  Ｃｏｍｐｕｔｅｒ）２００、第２の例による携帯電話２１０および第３の例による情報携帯端末２２０（ＰＤＡ：Ｐｅｒｓｏｎａｌ  Ｄｉｇｉｔａｌ  Ａｓｓｉｓｔａｎｔｓ）などに用いることが可能である。図４の第１の例によるＰＣ２００においては、キーボードなどの入力部２００ａおよび表示画面２００ｂなどに本発明の一実施形態による表示装置１００を用いることが可能である。図５の第２の例による携帯電話２１０においては、表示画面２１０ａに本発明の一実施形態による表示装置１００が用いられる。図６の第３の例による情報携帯端末２２０においては、表示画面２２０ａに本発明の一実施形態による表示装置１００が用いられる。
【００３９】
なお、今回開示された実施形態は、すべての点で例示であって制限的なものではない。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、縦電界型の駆動方式による反射型液晶表示部を本発明の表示パネル部に適用する例を示したが、本発明はこれに限らず、ＦＦＳモードおよびＩＰＳモードなどの横電界型の駆動方式による反射型液晶表示部を適用してもよい。
【００４１】
また、上記実施形態では、１つの画素電極に赤色蛍光体層、緑色蛍光体層および拡散層のいずれか１つを対応させるように構成する例を示したが、本発明はこれに限らず、複数の画素電極毎に赤色蛍光体層、緑色蛍光体層および拡散層のいずれか１つを対応させてもよい。
【００４２】
また、上記実施形態では、各画素毎において、赤色蛍光体層、緑色蛍光体層および拡散層の平面積を調整することにより赤色光、緑色光および青色光のバランスを調整する例を示したが、本発明はこれに限らない。すなわち、赤色蛍光体層、緑色蛍光体層および拡散層の平面積を同一の大きさにした状態で、各副画素の画素電極の大きさを調整することにより赤色光、緑色光および青色光のバランスを調整してもよい。
【００４３】
また、上記実施形態では、ノーマリーブラックによる表示方式を表示装置１００に適用する例を示したが、本発明はこれに限らず、ノーマリーホワイトによる表示方式を表示装置１００に適用してもよい。
【００４４】
また、上記実施形態では、拡散層を矢印Ｚ１方向側のガラス基板に配置する例を示したが、本発明はこれに限らず、拡散層を矢印Ｚ２方向側のガラス基板に配置してもよい。
【００４５】
また、上記実施形態では、凹凸を有する拡散層を設ける例を示したが、本発明はこれに限らず、拡散層を、たとえば、粒子状の酸化アルミニウムなどにより構成してもよい。また、反射層とは屈折率の異なる散乱層を設けてもよい。
【００４６】
また、上記実施形態では、ガラス基板を覆うように１つの反射層を設ける例を示したが、本発明はこれに限らず、反射層を、金属と誘電体との積層膜により構成してもよい。また、この積層膜を青色の表示に対応する拡散層の直下部のみに設けてもよい。
【符号の説明】
【００４７】
１  光源部（光源）
２  導光部材
１０  照明部
２０  反射型液晶表示部（表示パネル部）
２１ａ  ガラス基板（一方基板）
２１ｂ  ガラス基板（他方基板）
２２  反射層
２３ａ  赤色蛍光体層
２３ｂ  緑色蛍光体層
２４  拡散層
２５  内蔵偏光板
２７  薄膜トランジスタ（画素トランジスタ）
２９  画素電極
３０  外部偏光板
４０  液晶層
５０  画素
５０ａ  副画素
１００  表示装置
２００  ＰＣ（電子機器）
２１０  携帯電話（電子機器）
２２０  情報携帯端末（電子機器）
【図１】
2010249900.tif 000003
【図２】
2010249900.tif 000004
【図３】
2010249900.tif 000005
【図４】
2010249900.tif 000006
【図５】
2010249900.tif 000007
【図６】
2010249900.tif 000008